(57)【要約】【課題】バックライト用光源からの光がフレームの内側面を介して表示領域側に漏れることを抑制することが可能な表示装置および携帯電話を提供する。【解決手段】この表示装置（ＬＣＤユニット４０）では、表示領域を含む表示パネル（ガラス基板１５および１６）と、表示パネルを収納するための樹脂製フレーム６（フレーム）と、表示パネルの背面側に配置されるＬＥＤ７（バックライト用光源）と、表示パネルに配置され、表示パネルの表示領域以外の領域を覆うための遮光部１７とを備える。また、遮光部１７は、平面的に見て表示パネルの側端面側に部分的に突出するように設けられ、ＬＥＤ７からの光漏れを抑制する光漏れ抑制部１７ａを含む。【選択図】図６
2006154383.tif 000002
【特許請求の範囲】
【請求項１】
表示領域を含む表示パネルと、
前記表示パネルを収納するためのフレームと、
前記表示パネルの背面側に配置されるバックライト用光源と、
前記表示パネルに配置され、前記表示パネルの表示領域以外の領域を覆う遮光部とを備え、
前記遮光部は、平面的に見て前記表示パネルの側端面側に部分的に突出するように設けられ、前記バックライト用光源からの光漏れを抑制する光漏れ抑制部を含むことを特徴とする、表示装置。
【請求項２】
前記フレームは、位置決めのための凹部または凸部を含み、
前記遮光部の光漏れ抑制部は、前記フレームの凹部または凸部に起因する前記バックライト用光源からの光漏れを抑制するように、前記フレームの凹部または凸部に対応する位置に設けられていることを特徴とする、請求項１に記載の表示装置。
【請求項３】
前記バックライト用光源からの光を前記表示パネルに供給するレンズシートをさらに備え、
前記レンズシートの側端面には、平面的に見て凸状に形成された位置決め部が設けられており、
前記フレームには、前記レンズシートの凸状の位置決め部の位置決めを行う前記凹部が設けられており、
前記遮光部の光漏れ抑制部は、前記フレームの凹部に対応する位置に設けられていることを特徴とする、請求項２に記載の表示装置。
【請求項４】
前記遮光部の光漏れ抑制部は、前記フレームの凹部の幅よりも大きい幅を有することを特徴とする、請求項３に記載の表示装置。
【請求項５】
前記フレームには、前記表示パネルの側端面の位置決めを行う前記凸部が設けられており、
前記遮光部の光漏れ抑制部は、前記フレームの凸部に対応する位置に設けられていることを特徴とする、請求項２〜４のいずれか１項に記載の表示装置。
【請求項６】
前記遮光部の光漏れ抑制部は、前記フレームの凸部の幅よりも大きい幅を有することを特徴とする、請求項５に記載の表示装置。
【請求項７】
前記遮光部の光漏れ抑制部は、前記表示パネルの側端面には達しないとともに、前記表示パネルの側端面から所定の間隔を隔てた位置まで延びるように設けられていることを特徴とする、請求項１〜６のいずれか１項に記載の表示装置。
【請求項８】
前記表示パネルは、ガラス基板を含み、
前記遮光部の光漏れ抑制部は、前記ガラス基板の表示領域以外の領域を覆うように前記ガラス基板に配置されていることを特徴とする、請求項１〜７のいずれか１項に記載の表示装置。
【請求項９】
前記表示パネルに取り付けられるとともに、前記フレームの内部から外部に延びるように配置された表示パネル用のフレキシブルプリント配線板をさらに備え、
前記フレキシブルプリント配線板は、コネクタ差込部と、前記表示パネル側に配置される第１折り曲げ部と、前記コネクタ差込部および前記第１折り曲げ部の間に配置される第２折り曲げ部とを有することを特徴とする、請求項１〜８のいずれか１項に記載の表示装置。
【請求項１０】
前記フレキシブルプリント配線板には、第１電子部品および第２電子部品が取り付けられており、
前記フレキシブルプリント配線板は、前記第１電子部品が取り付けられる第１電子部品取付部と、前記第２電子部品が取り付けられる第２電子部品取付部と、前記第１電子部品取付部および前記第２電子部品取付部の間に配置される第３折り曲げ部とを有することを特徴とする、請求項９に記載の表示装置。
【請求項１１】
前記フレキシブルプリント配線板の前記コネクタ差込部と前記第２電子部品取付部との間には、スリットが設けられていることを特徴とする、請求項１０に記載の表示装置。
【請求項１２】
請求項１〜１１のいずれか１項に記載の表示装置を含むことを特徴とする、携帯電話。
【発明の詳細な説明】
【技術分野】
【０００１】
この発明は、表示装置および携帯電話に関し、特に、表示パネルを備えた表示装置および携帯電話に関する。
【背景技術】
【０００２】
従来、表示パネルを備えた表示装置が知られている（たとえば、特許文献１参照）。上記特許文献１には、配線が配置された液晶表示パネルを有する液晶表示装置（ＬＣＤ（Ｌｉｑｕｉｄ  Ｃｒｙｓｔａｌ  Ｄｉｓｐｌａｙ）ユニット）の構造が開示されている。また、従来、表示パネルを備えた液晶表示装置において、表示パネルに設けられる配線パターンなどの表示領域以外の領域を覆うための遮光部（ブラックマスク）が設けられた構造が知られている。
【０００３】
図１７は、従来の一例による表示パネルの配線パターンを覆う遮光部が設けられたＬＣＤユニット（表示装置）を示した斜視図である。図１８は、図１７に示した従来のＬＣＤユニットの分解斜視図である。図１９〜図２１は、図１７に示した従来のＬＣＤユニットの詳細構造を説明するための図である。図１７〜図２１を参照して、従来のＬＣＤユニット１４０の構造について説明する。
【０００４】
従来のＬＣＤユニット１４０は、図１７に示すように、金属製の上側フレーム１０１および下側フレーム１０２と、上側フレーム１０１および下側フレーム１０２の内部に配置される上側偏光板１０３と、パネル用フレキシブルプリント配線板（パネル用ＦＰＣ）１０４とを備えている。また、ＬＣＤユニット１４０のパネル用ＦＰＣ１０４のコネクタ差込部１０４ｂは、携帯電話のプリント配線基板１３０のコネクタ部１３１に接続されている。
【０００５】
また、金属製の下側フレーム１０２は、図１８に示すように、底面部１０２ａと、底面部１０２ａの４辺から上方向に延びるように形成される４つの側面部１０２ｂとを含んでいる。この側面部１０２ｂには、複数の突起部１０２ｃが外側に向かって設けられている。また、パネル用ＦＰＣ１０４が配置される側の下側フレーム１０２の側面部１０２ｂには、切欠部１０２ｄが設けられている。また、下側フレーム１０２の底面部１０２ａの上側には、反射シート１０５が配置されている。また、反射シート１０５の上側には、底部に開口部１０６ａを有する樹脂製フレーム１０６が設けられている。この樹脂製フレーム１０６の下側フレーム１０２の切欠部１０２ｄに対応する部分には、パネル用ＦＰＣ１０４が挿入されるＦＰＣ挿入部１０６ｂが形成されている。また、樹脂製フレーム１０６には、樹脂製フレーム１０６の縁部から上方向に延びる側壁１０６ｃが設けられている。また、図１８および図１９に示すように、樹脂製フレーム１０６には、位置決めのための複数の凹部１０６ｄと、複数の凸部１０６ｅとが設けられている。
【０００６】
また、樹脂製フレーム１０６の内部には、図２０および図２１に示すように、下から順番に、後述する発光ダイオード（ＬＥＤ）１０７（図２０参照）からの光をパネル全体に導くための導光板１０８と、レンズシート１０９および１１０とが配置されている。このレンズシート１０９および１１０の側端面には、図１８および図１９に示すように、平面的に見て凸状に形成された位置決め部１０９ａおよび１１０ａが複数設けられている。また、レンズシート１０９および１１０は、導光板１０８からの光を上側に透過するとともに、集光する機能を有する。また、図２０および図２１に示すように、レンズシート１０９および１１０の上側には、拡散シート１１１が配置されている。この拡散シート１１１は、レンズシート１０９および１１０からの光を上側に透過するとともに、拡散する機能を有する。また、図２０に示すように、導光板１０８の上面には、図示しない両面テープによりバックライト用フレキシブルプリント配線板（バックライト用ＦＰＣ）１１２が取り付けられる。このバックライト用ＦＰＣ１１２には、樹脂製フレーム１０６のＦＰＣ挿入部１０６ｂから外側に突出するように延びる外部接続部が設けられているとともに、その外部接続部の先端部分には、コネクタ差込部１１２ａ（図１８参照）が設けられている。また、バックライト用ＦＰＣ１１２には、導光板１０８に光を照射するＬＥＤ１０７が複数取り付けられている。また、ＬＥＤ１０７は、導光板１０８に向かって光を照射するように配置されている。
【０００７】
また、拡散シート１１１の上面の縁部に沿った周辺部分には、図１８に示すように、開口部１１３ａを有する黒色の接着層１１３が接着されている。この接着層１１３は、レンズシート１０９および１１０の縁部の周辺部分を覆うように設けられ、レンズシート１０９および１１０の縁部の周辺部分から上方に向かって進行する光を遮光する機能を有する。また、拡散シート１１１および接着層１１３は、樹脂製フレーム１０６の凸部１０６ｅにより位置決めされている。また、図２１に示すように、拡散シート１１１および接着層１１３を樹脂製フレーム１０６に配置する際に、拡散シート１１１および接着層１１３の寸法誤差（寸法ばらつき）に起因して拡散シート１１１および接着層１１３が撓んだ状態で配置されることを防止するために、拡散シート１１１および接着層１１３と、樹脂製フレーム１０６の側壁１０６ｃの凸部１０６ｅとの間には、所定の間隔Ｄ１が設けられている。
【０００８】
また、拡散シート１１１および接着層１１３の上側には、図２０および図２１に示すように、下側偏光板１１４が配置されている。この下側偏光板１１４の上側には、液晶を挟み込むように対向配置された下側のガラス基板１１５および上側のガラス基板１１６が配置されている。なお、下側のガラス基板１１５には、薄膜トランジスタ（図示せず）が形成されている。また、液晶および薄膜トランジスタを含むガラス基板１１５および１１６によって、表示パネルが構成されている。ガラス基板１１５および１１６から構成される表示パネルは、樹脂製フレーム１０６の凸部１０６ｅにより位置決めされている。このガラス基板１１５および１１６には、ガラス基板１１５および１１６に設けられる配線パターンなどの表示領域以外の領域を覆うための黒色の遮光部１１７が設けられている。また、遮光部１１７は、図１９に示すように、ガラス基板１１５および１１６の縁部の周辺部分に沿って表示領域を取り囲むように設けられている。また、図２０に示すように、下側のガラス基板１１５には、上側のガラス基板１１６から樹脂製フレーム１０６のＦＰＣ挿入部１０６ｂ側に突出した突出部１１５ａが形成されている。また、上側のガラス基板１１６の上側には、上側偏光板１０３が配置されている。
【０００９】
また、下側のガラス基板１１５の突出部１１５ａの上面には、表示パネルを駆動するための駆動ＩＣ（Ｉｎｔｅｇｒａｔｅｄ  Ｃｉｒｃｕｉｔ）１１８およびパネル用ＦＰＣ１０４が取り付けられている。また、パネル用ＦＰＣ１０４は、駆動ＩＣ１１８に電気的に接続されている。
【００１０】
また、パネル用ＦＰＣ１０４の外側に突出した部分には、図１７および図１９に示すように、複数の電子部品１１９が取り付けられる電子部品取付部１０４ａが設けられている。また、図１７に示すように、電子部品取付部１０４ａには、バックライト用ＦＰＣ１１２のコネクタ差込部１１２ａ（図１８参照）が接続されるコネクタ部１２０が取り付けられている。また、電子部品取付部１０４ａの先端側には、コネクタ差込部１０４ｂが設けられている。
【００１１】
また、上側偏光板１０３の上側には、図１８に示すように、金属製の上側フレーム１０１が配置されている。この上側フレーム１０１は、開口部１０１ａを有する上面部１０１ｂと、上面部１０１ｂの４辺から下方向に延びるように形成される４つの側面部１０１ｃとを含んでいる。この上側フレーム１０１の開口部１０１ａは、ガラス基板１１５および１１６の表示領域に対応する部分に設けられている。また、上側フレーム１０１の側面部１０１ｃには、下側フレーム１０２の複数の突起部１０２ｃが挿入される複数の挿入孔１０１ｄが設けられている。また、側面部１０１ｃには、下側フレーム１０２の切欠部１０２ｄに対応する位置に切欠部１０１ｅが設けられている。この下側フレーム１０２の切欠部１０２ｄおよび上側フレーム１０１の切欠部１０１ｅによって構成される開口部を介して、図１７に示すように、パネル用ＦＰＣ１０４およびバックライト用ＦＰＣ１１２が、外部に突出するように配置されている。
【特許文献１】特許第３３２２６２９号公報
【発明の開示】
【発明が解決しようとする課題】
【００１２】
図１７〜図２１に示した従来のＬＣＤユニット１４０では、ＬＥＤ１０７から照射された光が導光板１０８を介してレンズシート１０９および１１０の凸状の位置決め部１０９ａおよび１１０ａにも導かれる。このレンズシート１０９および１１０の凸状の位置決め部１０９ａおよび１１０ａに導かれた光は、図２１の矢印Ｃ方向に進行するので、樹脂製フレーム１０６の側壁１０６ｃの内側面と黒色の接着層１１７との間から光漏れが発生する。このため、光が樹脂製フレーム１０６の凹部１０６ｄ近傍から図２１の矢印Ｄ方向に進行するので、ガラス基板１１５および１１６に配置された遮光部１１７の外側から上側フレーム１０１の開口部１０１ａ（表示領域）に向かう光漏れが生じるという問題点があった。
【００１３】
この発明は、上記のような課題を解決するためになされたものであり、この発明の１つの目的は、バックライト用光源からの光がフレームの内側面を介して表示領域側に漏れることを抑制することが可能な表示装置および携帯電話を提供することである。
【課題を解決するための手段および発明の効果】
【００１４】
上記目的を達成するために、この発明の第１の局面による表示装置は、表示領域を含む表示パネルと、表示パネルを収納するためのフレームと、表示パネルの背面側に配置されるバックライト用光源と、表示パネルに配置され、表示パネルの表示領域以外の領域を覆う遮光部とを備え、遮光部は、平面的に見て表示パネルの側端面側に部分的に突出するように設けられ、バックライト用光源からの光漏れを抑制する光漏れ抑制部を含む。
【００１５】
この第１の局面による表示装置では、上記のように、表示パネルの表示領域以外の領域を覆う遮光部に、平面的に見て表示パネルの側端面側に部分的に突出するように、バックライト用光源からの光漏れを抑制する光漏れ抑制部を設けることによって、その光漏れ抑制部により、バックライト用光源から表示パネルの側端面（フレームの内側面）を介して表示領域側に漏れる光を遮ることができるので、バックライト用光源からの光がフレームの内側面を介して表示領域側に漏れることを抑制することができる。
【００１６】
上記第１の局面による表示装置において、好ましくは、フレームは、位置決めのための凹部または凸部を含み、遮光部の光漏れ抑制部は、フレームの凹部または凸部に起因するバックライト用光源からの光漏れを抑制するように、フレームの凹部または凸部に対応する位置に設けられている。このように構成すれば、フレームに位置決めのための凹部または凸部を設けた構造において、バックライト用光源からフレームの凹部または凸部を介して表示領域側に漏れる光を光漏れ抑制部により容易に遮ることができる。
【００１７】
上記フレームに位置決めのための凹部または凸部が設けられている表示装置において、好ましくは、バックライト用光源からの光を表示パネルに供給するレンズシートをさらに備え、レンズシートの側端面には、平面的に見て凸状に形成された位置決め部が設けられており、フレームには、レンズシートの凸状の位置決め部の位置決めを行う凹部が設けられており、遮光部の光漏れ抑制部は、フレームの凹部に対応する位置に設けられている。このように構成すれば、バックライト用光源からレンズシートの位置決め部に導かれた光がフレームの凹部を介して表示領域側に漏れることを光漏れ抑制部により容易に遮ることができる。
【００１８】
上記フレームに位置決めのための凹部が設けられている表示装置において、好ましくは、遮光部の光漏れ抑制部は、フレームの凹部の幅よりも大きい幅を有する。このように構成すれば、バックライト用光源からフレームの凹部に導かれた光が広がりながら表示領域に向かう場合にも、フレームの凹部よりも幅の大きい光漏れ抑制部により、容易に光を遮ることができる。
【００１９】
上記フレームに位置決めのための凹部または凸部が設けられている表示装置において、好ましくは、フレームには、表示パネルの側端面の位置決めを行う上記凸部が設けられており、遮光部の光漏れ抑制部は、フレームの凸部に対応する位置に設けられている。このように構成すれば、バックライト用光源からフレームの凸部を介して表示領域側に漏れる光を光漏れ抑制部により容易に遮ることができる。
【００２０】
上記フレームに位置決めのための凸部が設けられている表示装置において、好ましくは、遮光部の光漏れ抑制部は、フレームの凸部の幅よりも大きい幅を有する。このように構成すれば、バックライト用光源からフレームの凸部に導かれた光が広がりながら表示領域に向かう場合にも、フレームの凸部よりも幅の大きい光漏れ抑制部により、容易に光を遮ることができる。
【００２１】
上記第１の局面による表示装置において、好ましくは、遮光部の光漏れ抑制部は、表示パネルの側端面には達しないとともに、表示パネルの側端面から所定の間隔を隔てた位置まで延びるように設けられている。このように構成すれば、大きいパネルを切断することによって、複数の表示パネルを形成する場合に、切断個所にまで金属などにより形成される光漏れ抑制部が延びていないため、大きいパネルを容易に切断することができる。これにより、光漏れ抑制部を設けたとしても、表示パネルの形成プロセスが複雑化することがないので、表示パネルを容易に形成することができる。
【００２２】
上記第１の局面による表示装置において、好ましくは、表示パネルは、ガラス基板を含み、遮光部の光漏れ抑制部は、ガラス基板の表示領域以外の領域を覆うようにガラス基板に配置されている。このように構成すれば、ガラス基板に設けられる遮光部の光り漏れ抑制部により、容易に、バックライト用光源からの光漏れを抑制することができる。
【００２３】
上記第１の局面による表示装置において、好ましくは、表示パネルに取り付けられるとともに、フレームの内部から外部に延びるように配置された表示パネル用のフレキシブルプリント配線板をさらに備え、フレキシブルプリント配線板は、コネクタ差込部と、表示パネル側に配置される第１折り曲げ部と、コネクタ差込部および第１折り曲げ部の間に配置される第２折り曲げ部とを有する。このように構成すれば、第１折り曲げ部を折り曲げることによって、フレキシブルプリント配線板のコネクタ差込部を表示パネルの下側に配置することができる。また、フレキシブルプリント配線板に、コネクタ差込部および第１折り曲げ部の間に配置される第２折り曲げ部を設けることによって、第２コネクタ差込部に対して反対方向に向かってコネクタ差込部が差し込まれるコネクタ部が配置される場合にも、第２折り曲げ部を折り曲げることにより、コネクタ差込部をコネクタ部の差込口に向かって配置することができる。
【００２４】
上記第１折り曲げ部および第２折り曲げ部を有する表示装置において、好ましくは、フレキシブルプリント配線板には、第１電子部品および第２電子部品が取り付けられており、フレキシブルプリント配線板は、第１電子部品が取り付けられる第１電子部品取付部と、第２電子部品が取り付けられる第２電子部品取付部と、第１電子部品取付部および第２電子部品取付部の間に配置される第３折り曲げ部とを有する。このように構成すれば、第３折り曲げ部を折り曲げることによって、第２電子部品取付部を第１電子部品取付部の下側に配置することができるので、フレキシブルプリント配線板の片面のみに電子部品を取り付ける場合にも、フレキシブルプリント配線板の上側および下側に電子部品を配置することができる。また、フレキシブルプリント配線板に、第１電子部品取付部と第２電子部品取付部との間に配置される第３折り曲げ部を設けることによって、フレキシブルプリント配線板の第３折り曲げ部を折り曲げることにより、第２電子部品取付部が第１電子部品取付部の下方に配置されるので、第２電子部品取付部が、コネクタ部に取り付けられるプリント配線基板の上方にオーバーラップすることがない。これにより、コネクタ部が取り付けられるプリント配線基板の配線領域として使用可能な面積を増加させることができる。
【００２５】
上記フレキシブルプリント配線板にコネクタ差込部と第２電子部品取付部とが設けられた表示装置において、好ましくは、フレキシブルプリント配線板のコネクタ差込部と第２電子部品取付部との間には、スリットが設けられている。このように構成すれば、スリットにより、コネクタ差込部と第２電子部品取付部とを別々に折り曲げることができる。
【００２６】
この発明の第２の局面による携帯電話は、上記したいずれかの構成を有する表示装置を含む。このように構成すれば、バックライト用光源からの光がフレームの内側面を介して表示領域側に漏れることを抑制することが可能な表示装置を含む携帯電話を得ることができる。
【発明を実施するための最良の形態】
【００２７】
以下、本発明の実施形態を図面に基づいて説明する。
（第１実施形態）
図１は、本発明の第１実施形態によるＬＣＤユニットを示した斜視図である。図２は、本発明の第１実施形態によるＬＣＤユニットを携帯電話のプリント配線基板に取り付けた状態を示した側面図である。図３は、図１に示した本発明の第１実施形態によるＬＣＤユニットの分解斜視図である。図４〜図７は、図１に示した本発明の第１実施形態によるＬＣＤユニットの詳細構造を説明するための図である。まず、図１〜図７を参照して、本発明の第１実施形態によるＬＣＤユニット４０の構造について説明する。なお、第１実施形態では、本発明の表示装置の一例としてのＬＣＤユニット４０について説明する。
【００２８】
第１実施形態によるＬＣＤユニット４０は、図１および図２に示すように、板金からなる金属製の上側フレーム１および下側フレーム２と、上側フレーム１および下側フレーム２の内部に配置される上側偏光板３（図１参照）と、パネル用フレキシブルプリント配線板（パネル用ＦＰＣ）４とを備えている。なお、パネル用ＦＰＣ４は、本発明の「フレキシブルプリント配線板」の一例である。また、図２に示すように、ＬＣＤユニット４０は、携帯電話の上側シャーシ５１および下側シャーシ５２内に収納されるとともに、ＬＣＤユニット４０のパネル用ＦＰＣ４のコネクタ差込部４ｂ（図１参照）は、携帯電話のプリント配線基板３０のコネクタ部３１に接続されている。
【００２９】
また、金属製の下側フレーム２は、図３に示すように、底面部２ａと、底面部２ａの４辺から上方向に延びるように形成される４つの側面部２ｂとを含んでいる。この側面部２ｂには、複数の突起部２ｃが外側に向かって設けられている。また、パネル用ＦＰＣ４が配置される側の下側フレーム２の側面部２ｂには、切欠部２ｄが設けられている。また、下側フレーム２の底面部２ａの上側には、反射シート５が配置されている。また、反射シート５の上側には、底部に開口部６ａを有する樹脂製フレーム６が設けられている。なお、樹脂製フレーム６は、本発明の「フレーム」の一例である。この樹脂製フレーム６の下側フレーム２の切欠部２ｄに対応する部分には、パネル用ＦＰＣ４が挿入されるＦＰＣ挿入部６ｂが形成されている。また、樹脂製フレーム６には、樹脂製フレーム６の縁部から上方向に延びる側壁６ｃが設けられている。また、図３および図４に示すように、樹脂製フレーム６には、位置決めのための複数（第１実施形態では４つの）の凹部６ｄと、複数（第１実施形態では３つの）の凸部６ｅとが設けられている。
【００３０】
また、樹脂製フレーム６の内部には、図５および図６に示すように、下から順番に、後述するＬＥＤ７（図５参照）からの光をパネル全体に導くための導光板８と、レンズシート９および１０とが配置されている。このレンズシート９および１０の側端面には、図３および図４に示すように、平面的に見て凸状に形成された位置決め部９ａおよび１０ａが複数設けられている。また、レンズシート９および１０は、導光板８からの光を上側に透過するとともに、集光する機能を有する。また、レンズシート１０の上側には、図５および図６に示すように、拡散シート１１が配置されている。この拡散シート１１は、レンズシート９および１０からの光を上側に透過するとともに、拡散する機能を有する。また、図５に示すように、導光板８の上面には、図示しない両面テープによりバックライト用フレキシブルプリント配線板（バックライト用ＦＰＣ）１２が取り付けられている。このバックライト用ＦＰＣ１２には、樹脂製フレーム６のＦＰＣ挿入部６ｂから外側に突出するように延びる外部接続部が設けられているとともに、その外部接続部の先端部分には、コネクタ差込部１２ａ（図３参照）が設けられている。また、バックライト用ＦＰＣ１２には、導光板８に光を照射するＬＥＤ７が複数（第１実施形態では４個）取り付けられている。また、４個のＬＥＤ７は、導光板８に向かって光を照射するように配置されている。なお、ＬＥＤ７は、本発明の「バックライト用光源」の一例である。
【００３１】
また、拡散シート１１の上面の縁部に沿った周辺部分には、図３に示すように、開口部１３ａを有する黒色の接着層１３が接着されている。この接着層１３は、レンズシート９および１０の縁部の周辺部分を覆うように設けられ、レンズシート９および１０の縁部の周辺部分から上方に向かって進行する光を遮光する機能を有する。また、拡散シート１１および接着層１３は、樹脂製フレーム６の凸部６ｅにより位置決めされている。また、図６に示すように、拡散シート１１および接着層１３を樹脂製フレーム６に配置する際に、拡散シート１１および接着層１３の寸法誤差（寸法ばらつき）に起因して拡散シート１１および接着層１３が撓んだ状態で配置されることを防止するために、拡散シート１１および接着層１３と、樹脂製フレーム６の側壁６ｃの凸部６ｅとの間には、所定の間隔Ｄ２が設けられている。
【００３２】
また、拡散シート１１および接着層１３の上側には、図５および図６に示すように、下側偏光板１４が配置されている。この下側偏光板１４の上側には、液晶を挟み込むように対向配置された下側のガラス基板１５および上側のガラス基板１６が配置されている。下側のガラス基板１５には、薄膜トランジスタ（図示せず）が形成されている。また、液晶および薄膜トランジスタを含むガラス基板１５および１６によって、表示パネルが構成されている。ガラス基板１５および１６から構成される表示パネルは、樹脂製フレーム６の凸部６ｅにより位置決めされている。
【００３３】
また、図３および図４に示すように、ガラス基板１５および１６には、ガラス基板１５および１６に設けられる配線パターンなどの表示領域以外の領域を覆うための黒色の遮光部１７が設けられている。また、遮光部１７は、ガラス基板１５および１６の縁部の周辺部分に沿って表示領域を取り囲むように設けられている。
【００３４】
ここで、第１実施形態では、遮光部１７は、平面的に見て、ガラス基板１５および１６の側端面側に部分的に突出する凸状の４つの光漏れ抑制部１７ａを含む。この４つの光漏れ抑制部１７ａは、それぞれ、レンズシート９および１０の凸状の位置決め部９ａおよび１０ａの位置決めを行うように設けられた樹脂製フレーム６の４つの凹部６ｄに対応する位置に設けられている。また、図６に示すように、光漏れ抑制部１７ａは、ガラス基板１５および１６の側端面には達しないとともに、ガラス基板１５および１６の側端面から所定の間隔を隔てた位置まで延びるように設けられている。また、光漏れ抑制部１７ａは、図４に示すように、樹脂製フレーム６の凹部６ｄのＹ方向の幅よりも大きいＹ方向の幅を有している。これにより、ＬＥＤ７から樹脂製フレーム６の凹部６ｄに導かれた光が広がりながら表示領域に向かう場合にも、樹脂製フレーム６の凹部６ｄよりも幅の大きい光り漏れ抑制部１７ａにより、容易に光を遮ることができる。
【００３５】
また、図５に示すように、下側のガラス基板１５には、上側のガラス基板１６から樹脂製フレーム６のＦＰＣ挿入部６ｂ側に突出した突出部１５ａが形成されている。また、ガラス基板１５および１６の表示領域に対応する部分の上側には、上側偏光板３が配置されている。また、下側のガラス基板１５の突出部１５ａの上面には、表示パネルを駆動するための駆動ＩＣ１８およびパネル用ＦＰＣ４が取り付けられている。また、パネル用ＦＰＣ４は、駆動ＩＣ１８に電気的に接続されている。
【００３６】
また、本実施形態では、パネル用ＦＰＣ４には、図３に示すように、複数の電子部品１９が取り付けられる電子部品取付部４ａと、コネクタ差込部４ｂと、電子部品２０が取り付けられる電子部品取付部４ｃとが設けられている。また、電子部品取付部４ａには、バックライト用ＦＰＣ１２のコネクタ差込部１２ａ（図３参照）が接続されるコネクタ部２１が取り付けられている。また、コネクタ差込部４ｂは、携帯電話側のプリント配線基板３０のコネクタ部３１に接続されている。また、パネル用ＦＰＣ４のコネクタ差込部４ｂと電子部品取付部４ｃとの間には、コネクタ差込部４ｂと電子部品取付部４ｃとを個別に折り曲げることが可能なように、スリット４ｄが設けられている。なお、電子部品取付部４ａは、本発明の「第１電子部品取付部」の一例であり、電子部品取付部４ｃは、本発明の「第２電子部品取付部」の一例である。
【００３７】
また、本実施形態では、パネル用ＦＰＣ４には、ガラス基板１５側に配置される折り曲げ部４ｅと、電子部品取付部４ａとコネクタ差込部４ｂとの間に配置される折り曲げ部４ｆと、電子部品取付部４ａおよび電子部品取付部４ｃの間に配置される折り曲げ部４ｇとが設けられている。また、折り曲げ部４ｇには、折り曲げ部４ｇを折り曲げやすくするために、折り曲げ孔４ｈが設けられている。なお、折り曲げ部４ｅは、本発明の「第１折り曲げ部」の一例であり、折り曲げ部４ｆは、本発明の「第２折り曲げ部」の一例であり、折り曲げ部４ｇは、本発明の「第３折り曲げ部」の一例である。
【００３８】
また、上側偏光板３の上側には、図３に示すように、金属製の上側フレーム１が配置されている。この上側フレーム１は、開口部１ａを有する上面部１ｂと、上面部１ｂの４辺から下方向に延びるように形成される４つの側面部１ｃとを含んでいる。この上側フレーム１の開口部１ａは、ガラス基板１５および１６の表示領域に対応する部分に設けられている。また、上側フレーム１の側面部１ｃには、下側フレーム２の複数の突起部２ｃが挿入される複数の挿入孔１ｄが設けられている。また、側面部１ｃには、下側フレーム２の切欠部２ｄに対応する位置に切欠部１ｅが設けられている。
【００３９】
図８は、図１に示した本発明の第１実施形態によるＬＣＤユニットの表示パネルの製造方法を説明するための平面図である。次に、図８を参照して、本発明の第１実施形態によるＬＣＤユニット４０の表示パネルの製造方法について説明する。ガラス基板１５および１６から構成される表示パネルは、図８に示すように、大きいパネルの切断線６００に沿って切断されることによって、複数形成される。また、金属などにより形成される光漏れ抑制部１７ａは、切断個所である切断線６００線上には達しないととともに、切断線６００線から所定の間隔を隔てた位置まで延びるように設けられている。
【００４０】
第１実施形態では、上記のように、ガラス基板１５および１６から構成される表示パネルの表示領域以外の領域を覆う遮光部１７に、平面的に見てガラス基板１５および１６の側端面側に部分的に突出するように、ＬＥＤ７からの光漏れを抑制する光漏れ抑制部１７ａを設けることによって、その光漏れ抑制部１７ａにより、ＬＥＤ７からガラス基板１５および１６の側端面（樹脂製フレーム６の側壁６ｃの内側面）を介して表示領域側に漏れる光を遮ることができるので、ＬＥＤ７からの光が樹脂製フレーム６の側壁６ｃの内側面を介して表示領域に漏れることを抑制することができる。
【００４１】
また、第１実施形態では、レンズシート９および１０の側端面に、平面的に見て凸状に形成された位置決め部９ａおよび１０ａを設けるとともに、樹脂製フレーム６に、レンズシート９および１０の凸状の位置決め部９ａおよび１０ａの位置決めを行う凹部を設け、遮光部１７の光漏れ抑制部１７ａを、樹脂製フレーム６の凹部６ｄに対応する位置に設けることによって、ＬＥＤ７からレンズシート９および１０の位置決め部９ａおよび１０ａに導かれた光が図６の矢印Ａ方向に進行するのに起因して、樹脂製フレーム６の凹部６ｄを介して図６の矢印Ｂ方向に進行する表示領域側に漏れる光を光漏れ抑制部１７ａにより容易に遮ることができる。
【００４２】
また、第１実施形態では、遮光部１７の光漏れ抑制部１７ａを、ガラス基板１５および１６の側端面に到達させずに、ガラス基板１５および１６の側端面から所定の間隔を隔てた位置まで延びるように設けることによって、図８に示す大きいパネルを切断することにより、複数の表示パネルを形成する場合に、切断個所にまで金属などにより形成される光漏れ抑制部１７ａが延びていないため、大きいパネルを容易に切断することができる。これにより、光漏れ抑制部１７ａを設けたとしても、表示パネルの形成プロセスが複雑化することがないので、表示パネルを容易に形成することができる。
【００４３】
（第２実施形態）
図９は、本発明の第２実施形態によるＬＣＤユニットの表示パネルおよび樹脂製フレームの平面図である。図１０は、図９に示した３００−３００線に沿った断面図である。図９および図１０を参照して、この第２実施形態では、上記第１実施形態と異なり、遮光部の光漏れ抑制部を、樹脂製フレームの凹部のみならず凸部に対応する位置にも設けた例について説明する。なお、遮光部以外の構造は上記第１実施形態と同様であるのでその説明を省略する。
【００４４】
この第２実施形態によるＬＣＤユニットでは、図９に示すように、ガラス基板１５および１６には、ガラス基板１５および１６に設けられる配線パターンなどの表示領域以外の領域を覆うための黒色の遮光部５７が設けられている。また、遮光部５７は、ガラス基板１５および１６の縁部の周辺部分に沿って設けられている。
【００４５】
ここで、第２実施形態では、遮光部５７には、樹脂製フレーム６の凹部６ｄに対応する位置に光漏れ抑制部５７ａが設けられているとともに、表示パネルの側端面の位置決めを行うように設けられた樹脂製フレーム６の凸部６ｅに対応する位置にも光漏れ抑制部５７ｂが設けられている。この光漏れ抑制部５７ａおよび５７ｂは、図９に示すように、平面的に見てガラス基板１５および１６の側端面側に部分的に突出するように設けられている。また、図１０に示すように、光漏れ抑制部５７ｂは、ガラス基板１５および１６の側端面には達しないとともに、ガラス基板１５および１６の側端面から所定の間隔を隔てた位置まで延びるように設けられている。また、光漏れ抑制部５７ｂは、図９に示すように、樹脂製フレーム６の凸部６ｅのＹ方向の幅よりも大きいＹ方向の幅を有している。これにより、ＬＥＤ７から樹脂製フレーム６の凸部６ｅに導かれた光が広がりながら表示領域に向かう場合にも、樹脂製フレーム６の凸部６ｅよりも幅の大きい光り漏れ抑制部５７ｂにより、容易に光を遮ることができる。
【００４６】
第２実施形態では、上記のように、樹脂製フレーム６に、ガラス基板１５および１６の側端面の位置決めを行う凸部を設けるとともに、遮光部５７の光漏れ抑制部５７ｂを、樹脂製フレーム６の凸部６ｅに対応する位置に設けることによって、ＬＥＤ７から樹脂製フレーム６の凸部６ｅを介して表示領域側に漏れる光を光漏れ抑制部５７ｂにより容易に遮ることができる。また、遮光部５７の光漏れ抑制部５７ａおよび５７ｂを、それぞれ、樹脂製フレーム６の凹部６ｄおよび凸部６ｅに対応する位置に設けることによって、ＬＥＤ７から樹脂製フレーム６の凹部６ｄのみならず凸部６ｅを介して表示領域側に漏れる光を光漏れ抑制部５７ａおよび５７ｂにより容易に遮ることができる。
【００４７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４８】
たとえば、上記実施形態では、本発明を、表示装置の一例としてのＬＣＤユニットに適用した例を示したが、本発明はこれに限らず、表示パネルを備えた表示装置であれば、有機ＥＬなどの他の表示装置に適用してもよい。
【００４９】
また、上記第１実施形態では、ＬＥＤを４個設けた例を示したが、本発明はこれに限らず、ＬＥＤを４個よりも少なく設けてもよいし、５個以上設けてもよい。この場合、ＬＥＤを２個以上設けることが好ましい。
【００５０】
また、第１実施形態では、光漏れ抑制部を４個所に設ける例を示したが、本発明はこれに限らず、光漏れ抑制部を４個所よりも少なく設けてもよいし、５個所以上設けてもよい。この場合、レンズシートの位置決め部および樹脂製フレームの凹部の個数に応じて設けるのが好ましい。
【００５１】
また、上記第１実施形態では、パネル用ＦＰＣ４の折り曲げ部４ｅ、４ｆおよび４ｇを折り曲げずに用いた例を示したが、本発明はこれに限らず、図１１〜図１６に示した本発明の第１実施形態の第１〜第３変形例のように用いてもよい。すなわち、図１１および図１２に示す第１変形例のように、ＬＣＤユニット４０のパネル用ＦＰＣ４の折り曲げ部４ｅを折り曲げるとともに、折り曲げ方向に延びるパネル用ＦＰＣ４のコネクタ差込部４ｂを携帯電話のプリント配線基板３０のコネクタ部３１ａに接続するようにしてもよい。この場合、ＬＣＤユニット４０のパネル用ＦＰＣ４をＬＣＤユニット４０の下側フレーム２の下側に配置することができる。また、図１３および図１４に示す第２変形例のように、ＬＣＤユニット４０のパネル用ＦＰＣ４の折り曲げ部４ｅおよび４ｇを折り曲げるとともに、パネル用ＦＰＣ４の折り曲げ部４ｆ（図１３参照）を折り曲げずに用いてもよい。この場合、図１１および図１２に示した携帯電話のプリント配線基板３０のコネクタ部３１ａとは反対向きのコネクタ部３１ｂにパネル用ＦＰＣ４を差し込むことができる。また、図１５および図１６に示す第３変形例のように、ＬＣＤユニット４０のパネル用ＦＰＣ４の折り曲げ部４ｅおよび４ｆ（図１５参照）を折り曲げずに、パネル用ＦＰＣ４の折り曲げ部４ｇのみを折り曲げて用いてもよい。この場合、ＬＣＤユニット４０のパネル用ＦＰＣ４の上側および下側の両方に電子部品１９および２０を配置することができる。また、ＬＣＤユニット４０のパネル用ＦＰＣ４の折り曲げ部４ｇを折り曲げることにより、電子部品取付部４ｃが電子部品取付部４ａの下方に配置されるので、電子部品取付部４ｃが、携帯電話のプリント配線基板３０の上方にオーバーラップすることがない。これにより、携帯電話のプリント配線基板３０の配線領域として使用可能な面積を増加させることができる。
【図面の簡単な説明】
【００５２】
【図１】本発明の第１実施形態によるＬＣＤユニットの全体構成を示した斜視図である。
【図２】図１に示した本発明の第１実施形態によるＬＣＤユニットを携帯電話のプリント配線基板に取り付けた状態を示した側面図である。
【図３】図１に示した本発明の第１実施形態によるＬＣＤユニットの分解斜視図である。
【図４】図１に示した第１実施形態によるＬＣＤユニットの樹脂製フレーム、レンズシートおよび表示パネルを示した平面図である。
【図５】図４の１００−１００線に沿った断面図である。
【図６】図４の２００−２００線に沿った断面図である。
【図７】図１に示した第１実施形態による樹脂製フレームにレンズシートが収納された状態を示した斜視図である。
【図８】図１に示した第１実施形態によるＬＣＤユニットの表示パネルの製造方法を説明するための平面図である。
【図９】本発明の第２実施形態によるＬＣＤユニットの表示パネルおよび樹脂製フレームを示した平面図である。
【図１０】図９の３００−３００線に沿った断面図である。
【図１１】本発明の第１実施形態の第１変形例によるＬＣＤユニットを携帯電話のプリント配線基板に取り付けた状態を示した斜視図である。
【図１２】図１１に示した本発明の第１実施形態の第１変形例によるＬＣＤユニットを携帯電話のプリント配線基板に取り付けた状態を示した側面図である。
【図１３】本発明の第１実施形態の第２変形例によるＬＣＤユニットを携帯電話のプリント配線基板に取り付けた状態を示した斜視図である。
【図１４】図１３に示した本発明の第１実施形態の第２変形例によるＬＣＤユニットを携帯電話のプリント配線基板に取り付けた状態を示した側面図である。
【図１５】本発明の第１実施形態の第３変形例によるＬＣＤユニットを携帯電話のプリント配線基板に取り付けた状態を示した斜視図である。
【図１６】図１５に示した本発明の第１実施形態の第３変形例によるＬＣＤユニットを携帯電話のプリント配線基板に取り付けた状態を示した側面図である。
【図１７】従来の一例によるＬＣＤユニットの全体構成を示した斜視図である。
【図１８】図１７に示した従来のＬＣＤユニットの分解斜視図である。
【図１９】図１７に示した従来のＬＣＤユニットの樹脂製フレーム、レンズシートおよび表示パネルを示した平面図である。
【図２０】図１９の４００−４００線に沿った断面斜視図である。
【図２１】図１９の５００−５００線に沿った断面斜視図である。
【符号の説明】
【００５３】
４  パネル用ＦＰＣ（フレキシブルプリント配線板）
４ａ  電子部品取付部（第１電子部品取付部）
４ｂ  コネクタ差込部
４ｃ  電子部品取付部（第２電子部品取付部）
４ｄ  スリット
４ｅ  折り曲げ部（第１折り曲げ部）
４ｆ  折り曲げ部（第２折り曲げ部）
４ｇ  折り曲げ部（第３折り曲げ部）
６  樹脂製フレーム（フレーム）
６ｄ  凹部
６ｅ  凸部
７  ＬＥＤ（バックライト用光源）
９  レンズシート
９ａ  位置決め部
１０  レンズシート
１０ａ  位置決め部
１５  ガラス基板（表示パネル）
１６  ガラス基板（表示パネル）
１７、５７  遮光部
１７ａ、５７ａ、５７ｂ  光漏れ抑制部
１９  電子部品（第１電子部品）
２０  電子部品（第２電子部品）
【図１】
2006154383.tif 000003
【図２】
2006154383.tif 000004
【図３】
2006154383.tif 000005
【図４】
2006154383.tif 000006
【図５】
2006154383.tif 000007
【図６】
2006154383.tif 000008
【図７】
2006154383.tif 000009
【図８】
2006154383.tif 000010
【図９】
2006154383.tif 000011
【図１０】
2006154383.tif 000012
【図１１】
2006154383.tif 000013
【図１２】
2006154383.tif 000014
【図１３】
2006154383.tif 000015
【図１４】
2006154383.tif 000016
【図１５】
2006154383.tif 000017
【図１６】
2006154383.tif 000018
【図１７】
2006154383.tif 000019
【図１８】
2006154383.tif 000020
【図１９】
2006154383.tif 000021
【図２０】
2006154383.tif 000022
【図２１】
2006154383.tif 000023